(57)【要約】【課題】用紙トレイから給紙される用紙サイズを変更した後、変更前の用紙サイズに戻す際の操作が使用者にとって煩わしく、印刷装置の使い勝手が悪い。【解決手段】印刷装置１は、用紙の搬送方向と交差する幅方向において用紙の一方の端をガイド可能なエッジガイド９１、９２を有する用紙トレイ９０と、エッジガイド９１、９２の位置に基づいて用紙トレイ９０に収容可能な用紙幅を検出する用紙幅センサー９５と、用紙幅センサー９５より検出された用紙幅に対応する用紙サイズの候補を表示する用紙サイズ選択画面を表示器に表示させる表示制御部２２と、用紙サイズ選択画面を用いて選択された用紙サイズと用紙幅とを関連付けた用紙サイズ選択情報を記憶部に保存する選択サイズ保存部２３とを備える。【選択図】図１
2020090329.tif 000002
【特許請求の範囲】
【請求項１】
用紙の搬送方向と交差する幅方向において前記用紙の一方の端をガイド可能なエッジガイドを有する用紙トレイと、
前記エッジガイドの位置に基づいて前記用紙トレイに収容可能な用紙幅を検出する検出部と、
前記検出部により検出された前記用紙幅に対応する用紙サイズの候補を表示する用紙サイズ選択画面を表示器に表示させる表示制御部と、
前記用紙サイズ選択画面を用いて選択された用紙サイズと前記用紙幅とを関連付けた用紙サイズ選択情報を記憶部に保存する選択サイズ保存部と
を備える印刷装置。
【請求項２】
前記表示制御部は、
前記検出部により検出される前記用紙幅が、第１用紙幅から第２用紙幅に切替わる毎に、前記第２用紙幅についての前記用紙サイズ選択画面を前記表示器に表示させ、
前記記憶部に前記第２用紙幅についての前記用紙サイズ選択情報が保存されているときには、前記用紙サイズ選択情報により前記第２用紙幅と関連付けられた用紙サイズを、他の用紙サイズよりも優先させて表示する優先表示態様により、前記第２用紙幅についての前記用紙サイズ選択画面を、前記表示器に表示させる
請求項１に記載の印刷装置。
【請求項３】
前記表示制御部は、
前記検出部により検出されている前記用紙幅が第３用紙幅である状態で、前記用紙サイズ選択画面の表示指示を受付けたときに、
前記記憶部に前記第３用紙幅についての前記用紙サイズ選択情報が保存されているときには、前記用紙サイズ選択情報により前記第３用紙幅と関連付けられた用紙サイズを、他の用紙サイズよりも優先させて表示する優先表示態様により、前記第３用紙幅についての前記用紙サイズ選択画面を前記表示器に表示させる
請求項１又は請求項２に記載の印刷装置。
【請求項４】
前記表示制御部は、
前記検出部により検出されている前記用紙幅が第４用紙幅であって、前記記憶部に前記第４用紙幅についての前記用紙サイズ選択情報が保存されていないときには、予め設定された初期用紙サイズを、他の用紙サイズよりも優先させて表示する優先表示態様により、前記第４用紙幅についての前記用紙サイズ選択画面を前記表示器に表示させる
請求項１から請求項３のうちいずれか１項に記載の印刷装置。
【請求項５】
前記表示制御部は、
前記検出部により検出されている前記用紙幅が前記第４用紙幅であって、前記記憶部に前記第４用紙幅についての前記用紙サイズ選択情報が保存されているときには、前記用紙サイズ選択情報により前記第４用紙幅と関連付けられた用紙サイズを最も優先的に表示し、前記初期用紙サイズを次に優先的に表示する優先表示態様により、前記第４用紙幅についての前記用紙サイズ選択画面を前記表示器に表示させる
請求項４に記載の印刷装置。
【請求項６】
前記表示制御部は、
前記検出部により検出されている前記用紙幅が前記第４用紙幅であって、前記記憶部に前記第４用紙幅についての前記用紙サイズ選択情報が保存され、前記用紙サイズ選択情報により前記第４用紙幅と関連付けられている用紙サイズと前記初期用紙サイズとが同一であるときには、前記第４用紙幅についての前記用紙サイズ選択画面において、前記初期用紙サイズを用紙サイズの候補として表示しない
請求項４に記載の印刷装置。
【請求項７】
前記記憶部は不揮発性メモリーであり、
前記選択サイズ保存部は、前記印刷装置の設定を出荷時の状態に戻す初期化処理が実行されたときに、前記用紙サイズ選択情報を前記記憶部から消去する
請求項１から請求項６のうちいずれか１項に記載の印刷装置。
【請求項８】
前記記憶部は揮発性メモリーであり、
前記印刷装置の電源がオフされたとき、又は前記印刷装置が省電力モードに移行して前記記憶部への供給電圧が所定レベル以下に低下したときに、前記記憶部に保存されていた前記用紙サイズ選択情報が消失する
請求項１から請求項６のうちいずれか１項に記載の印刷装置。
【請求項９】
用紙の搬送方向と交差する幅方向において前記用紙の一方の端をガイド可能なエッジガイドを有する用紙トレイと、
前記エッジガイドの位置に基づいて前記用紙トレイに収容可能な用紙幅を検出する検出部と、
前記用紙トレイから供給された用紙の枚数、又は前記用紙トレイからの用紙の供給により実行された印刷ジョブの回数を、前記検出部により検出される前記用紙幅毎に区分して記録した印刷履歴情報を、記憶部に保存する印刷履歴情報保存部と、
前記印刷履歴情報に基づいて、前記用紙幅における各用紙サイズの選択頻度を認識する用紙サイズ選択頻度認識部と、
前記検出部により検出されている前記用紙幅に対応する用紙サイズの候補を表示する用紙サイズ選択画面を、前記用紙サイズ選択頻度認識部により認識された各用紙サイズの選択頻度に基づいて、選択頻度が最も高い用紙サイズを他の用紙サイズよりも優先させて表示する優先表示態様により、表示器に表示させる表示制御部と
を備える印刷装置。
【請求項１０】
前記表示制御部は、
前記検出部により検出される前記用紙幅が、第１用紙幅から第２用紙幅に切替わる毎に、前記第２用紙幅についての前記用紙サイズ選択画面を前記表示器に表示させ、
前記記憶部に前記第２用紙幅についての前記印刷履歴情報が保存されているときには、前記第２用紙幅についての前記印刷履歴情報に基づいて、前記優先表示態様により、前記第２用紙幅についての前記用紙サイズ選択画面を前記表示器に表示させる
請求項９に記載の印刷装置。
【請求項１１】
前記表示制御部は、
前記検出部により検出されている前記用紙幅が第３用紙幅である状態で、前記用紙サイズ選択画面の表示指示を受付けたときに、前記記憶部に前記第３用紙幅についての前記印刷履歴情報が保存されているときには、前記第３用紙幅についての前記印刷履歴情報に基づいて、前記優先表示態様により、前記第３用紙幅についての前記用紙サイズ選択画面を前記表示器に表示させる
請求項９又は請求項１０に記載の印刷装置。
【発明の詳細な説明】
【技術分野】
【０００１】
本発明は、印刷装置に関する。
【背景技術】
【０００２】
従来、手差しトレイを備えた印刷装置においては、手差しトレイの用紙規制ガイドのセット位置を検出することにより、手差し給紙する用紙サイズ候補を認識し、認識した用紙サイズ候補を操作パネルの表示部に表示する。そして、使用者による選択操作に応じて、手差し給紙される用紙の用紙サイズを特定する。
例えば、特許文献１に記載された印刷装置は、手差しトレイの用紙規制ガイドの幅を検出し、検出値に基づいて用紙サイズの候補をサイズ選択画面に表示する。そして、使用者がサイズ選択画面を用いて選択した用紙サイズをバッファーに記憶し、使用者が別の用紙サイズを選択するまで、バッファーに記憶した用紙サイズが選択されている態様でサイズ選択画面を表示する。
【先行技術文献】
【特許文献】
【０００３】
【特許文献１】特開平６−１４８９９０号公報
【発明の概要】
【発明が解決しようとする課題】
【０００４】
特許文献１の印刷装置は、用紙規制ガイドの幅の変化に応じて用紙サイズの候補を変更したサイズ選択画面を表示する。従って、使用者が用紙規制ガイドの幅を変えると、変える前とは異なる用紙サイズの候補がサイズ選択画面に表示される。そして、使用者が候補の中からいずれかの用紙サイズを選択すると、バッファーに記憶される用紙サイズが選択された用紙サイズに更新される。このようにバッファーに記憶される用紙サイズの情報が更新されるので、使用者が用紙規制ガイドの幅を元に戻したときには、バッファーには元の用紙サイズの情報は記憶されていない。
そのため、印刷装置は、バッファーに記憶された情報を参照して、元の用紙サイズが選択された態様のサイズ選択画面を表示することができず、戻された用紙規制ガイドの幅に基づく用紙サイズの候補を示すサイズ選択画面を表示する。この場合、使用者は、以前選択した用紙サイズを再び選択するという煩わしい操作をしなければならず、印刷装置の使い勝手が悪い。
【課題を解決するための手段】
【０００５】
上記課題を解決するための好ましい一態様として、用紙の搬送方向と交差する幅方向において前記用紙の一方の端をガイド可能なエッジガイドを有する用紙トレイと、前記エッジガイドの位置に基づいて前記用紙トレイに収容可能な用紙幅を検出する検出部と、前記検出部により検出された前記用紙幅に対応する用紙サイズの候補を表示する用紙サイズ選択画面を表示器に表示させる表示制御部と、前記用紙サイズ選択画面を用いて選択された用紙サイズと前記用紙幅とを関連付けた用紙サイズ選択情報を記憶部に保存する選択サイズ保存部とを備える印刷装置が挙げられる。
【０００６】
上記印刷装置において、前記表示制御部は、前記検出部により検出される前記用紙幅が、第１用紙幅から第２用紙幅に切替わる毎に、前記第２用紙幅についての前記用紙サイズ選択画面を前記表示器に表示させ、前記記憶部に前記第２用紙幅についての前記用紙サイズ選択情報が保存されているときには、前記用紙サイズ選択情報により前記第２用紙幅と関連付けられた用紙サイズを、他の用紙サイズよりも優先させて表示する優先表示態様により、前記第２用紙幅についての前記用紙サイズ選択画面を、前記表示器に表示させる構成としてもよい。
【０００７】
上記印刷装置において、前記表示制御部は、前記検出部により検出されている前記用紙幅が第３用紙幅である状態で、前記用紙サイズ選択画面の表示指示を受付けたときに、前記記憶部に前記第３用紙幅についての前記用紙サイズ選択情報が保存されているときには、前記用紙サイズ選択情報により前記第３用紙幅と関連付けられた用紙サイズを、他の用紙サイズよりも優先させて表示する優先表示態様により、前記第３用紙幅についての前記用紙サイズ選択画面を前記表示器に表示させる構成としてもよい。
【０００８】
上記印刷装置において、前記表示制御部は、前記検出部により検出されている前記用紙幅が第４用紙幅であって、前記記憶部に前記第４用紙幅についての前記用紙サイズ選択情報が保存されていないときには、予め設定された初期用紙サイズを、他の用紙サイズよりも優先させて表示する優先表示態様により、前記第４用紙幅についての前記用紙サイズ選択画面を前記表示器に表示させる構成としてもよい。
【０００９】
上記印刷装置において、前記表示制御部は、前記検出部により検出されている前記用紙幅が前記第４用紙幅であって、前記記憶部に前記第４用紙幅についての前記用紙サイズ選択情報が保存されているときには、前記用紙サイズ選択情報により前記第４用紙幅と関連付けられた用紙サイズを最も優先的に表示し、前記初期用紙サイズを次に優先的に表示する優先表示態様により、前記第４用紙幅についての前記用紙サイズ選択画面を前記表示器に表示させる構成としてもよい。
【００１０】
上記印刷装置において、前記表示制御部は、前記検出部により検出されている前記用紙幅が前記第４用紙幅であって、前記記憶部に前記第４用紙幅についての前記用紙サイズ選択情報が保存され、前記用紙サイズ選択情報により前記第４用紙幅と関連付けられている用紙サイズと前記初期用紙サイズとが同一であるときには、前記第４用紙幅についての前記用紙サイズ選択画面において、前記初期用紙サイズを用紙サイズの候補として表示しない構成としてもよい。
【００１１】
上記印刷装置において、前記記憶部は不揮発性メモリーであり、前記選択サイズ保存部は、前記印刷装置の設定を出荷時の状態に戻す初期化処理が実行されたときに、前記用紙サイズ選択情報を前記記憶部から消去する構成としてもよい。
【００１２】
上記印刷装置において、前記記憶部は揮発性メモリーであり、前記印刷装置の電源がオフされたとき、又は前記印刷装置が省電力モードに移行して前記記憶部への供給電圧が所定レベル以下に低下したときに、前記記憶部に保存されていた前記用紙サイズ選択情報が消失する構成としてもよい。
【００１３】
上記課題を解決するための好ましい別態様として、用紙の搬送方向と交差する幅方向において前記用紙の一方の端をガイド可能なエッジガイドを有する用紙トレイと、前記エッジガイドの位置に基づいて前記用紙トレイに収容可能な用紙幅を検出する検出部と、前記用紙トレイから供給された用紙の枚数、又は前記用紙トレイからの用紙の供給により実行された印刷ジョブの回数を、前記検出部により検出される前記用紙幅毎に区分して記録した印刷履歴情報を、記憶部に保存する印刷履歴情報保存部と、前記印刷履歴情報に基づいて、前記用紙幅における各用紙サイズの選択頻度を認識する用紙サイズ選択頻度認識部と、前記検出部により検出されている前記用紙幅に対応する用紙サイズの候補を表示する用紙サイズ選択画面を、前記用紙サイズ選択頻度認識部により認識された各用紙サイズの選択頻度に基づいて、選択頻度が最も高い用紙サイズを他の用紙サイズよりも優先させて表示する優先表示態様により、表示器に表示させる表示制御部とを備える印刷装置が挙げられる。
【００１４】
上記印刷装置において、前記表示制御部は、前記検出部により検出される前記用紙幅が、第１用紙幅から第２用紙幅に切替わる毎に、前記第２用紙幅についての前記用紙サイズ選択画面を前記表示器に表示させ、前記記憶部に前記第２用紙幅についての前記印刷履歴情報が保存されているときには、前記第２用紙幅についての前記印刷履歴情報に基づいて、前記優先表示態様により、前記第２用紙幅についての前記用紙サイズ選択画面を前記表示器に表示させる構成としてもよい。
【００１５】
上記印刷装置において、前記表示制御部は、前記検出部により検出されている前記用紙幅が第３用紙幅である状態で、前記用紙サイズ選択画面の表示指示を受付けたときに、前記記憶部に前記第３用紙幅についての前記印刷履歴情報が保存されているときには、前記第３用紙幅についての前記印刷履歴情報に基づいて、前記優先表示態様により、前記第３用紙幅についての前記用紙サイズ選択画面を前記表示器に表示させる構成としてもよい。
【００１６】
上記課題を解決するための態様は、上述した印刷装置、及び印刷装置の制御方法以外の種々の形態で実現されてもよい。例えば、上記の印刷装置、及び印刷装置の制御方法を実現するためのコンピューターまたはプロセッサーのプログラムであってもよい。或いは、上記プログラムを記録した記録媒体、プログラムを配信するサーバー装置、上記プログラムを伝送する伝送媒体、上記プログラムを搬送波内に具現化したデータ信号等であってもよい。
【図面の簡単な説明】
【００１７】
【図１】印刷装置の全体構成図及びＭＰトレイの説明図。
【図２】ＭＰトレイにおける用紙サイズの設定及び検知の説明図。
【図３】印刷装置の制御ブロック図。
【図４】ＭＰトレイにおける用紙サイズ区分の説明図。
【図５】用紙サイズ選択画面の説明図。
【図６】ＭＰトレイにセットされた用紙の用紙サイズを記憶する処理のフローチャート。
【図７】印刷履歴情報の説明図。
【発明を実施するための形態】
【００１８】
［１．印刷装置の構成］
図１〜図３を参照して、本発明を適用した実施形態における印刷装置１の構成について説明する。印刷装置１は、印刷機能、ＦＡＸ機能、及びスキャナー機能を有する複合機である。印刷装置１は、本体２の上面に配置されたスキャナーユニット７０、本体２の前面の上部に配置されたタッチパネル８０とボタンスイッチ群１４０、及び本体２の前面に配置されたカセット型のＡトレイ１００とＢトレイ１１０を備えている。タッチパネル８０は、表示器の一例に相当する。ボタンスイッチ群１４０には、本体２への電源の供給と遮断を指示するための電源スイッチ１４１と、本体２の待機電力を減少させる省電力モードへの移行と復帰を指示するための待機スイッチ１４２とが含まれる。本体２の内部には、印刷装置１の全体的な作動を制御するメインコントローラー１０、及びプリンターユニット７５（図３参照）が備えられている。
【００１９】
さらに、印刷装置１は、本体２の背面に配置されたＭＰ（Multi-Purpose）トレイ９０を備えている。ＭＰトレイ９０は、手差し型のトレイであり、セットされた用紙Ｐの幅方向の一方の端をガイド可能な左エッジガイド９１及び右エッジガイドを備えている。ＭＰトレイ９０は、用紙トレイの一例に相当する。印刷装置１の使用者は、ＭＰトレイ９０を引き出し、ＭＰトレイ９０にセットする用紙Ｐの幅に合わせて、左エッジガイド９１及び右エッジガイド９２をスライドさせて用紙Ｐに突き当てることにより、ＭＰトレイ９０に用紙Ｐをセットする。
【００２０】
図２を参照して、ＭＰトレイ９０は、セットされた用紙Ｐの長さが所定長以上であることを検出する用紙長センサー９３、及び用紙Ｐの有無を検出する紙有無センサー９４を備えている。また、ＭＰトレイ９０は、左エッジガイド９１の設定位置に基づいて、ＭＰトレイ９０に収容可能な用紙幅を検出する用紙幅センサー９５を備えている。用紙幅センサー９５は、検出部の一例に相当する。左エッジガイド９１と右エッジガイド９２は、使用者の操作により、ＭＰトレイ９０の搬送方向と交差するＤ方向に、ＭＰトレイのＤ方向のセンターから同一の間隔を維持して、連動してスライドする。用紙幅センサー９５は、用紙Ｐの幅を４段階で検出する。
【００２１】
図３を参照して、メインコントローラー１０は、データバス３０を介して、スキャナーユニット７０、プリンターユニット７５、タッチパネル８０、ＭＰトレイ９０、Ａトレイ１００、及びＢトレイ１１０と接続されている。そして、メインコントローラー１０は、スキャナーユニット７０、プリンターユニット７５、ＭＰトレイ９０、Ａトレイ１００、及びＢトレイ１１０の状態を認識すると共に作動を制御する。また、メインコントローラー１０は、タッチパネル８０の操作状態を認識すると共に画面表示を制御する。
【００２２】
スキャナーユニット７０には、スキャナー機構７１、及びスキャナーＡＳＩＣ（Application Specific Integrated Circuit）７２を備えている。スキャナーＡＳＩＣ７２は、メインコントローラー１０から送信される制御信号に応じて、スキャナー機構７１の作動を制御する。プリンターユニット７５は、プリンター機構７６、及びメインコントローラー１０から送信される制御信号に応じて、プリンター機構７６の作動を制御するプリンターＡＳＩＣ７７を備えている。タッチパネル８０は、ＬＣＤモジュール８１のＬＣＤパネルの表面にタッチセンサー８２を配置して構成されている。
【００２３】
さらに、メインコントローラー１０は、データバス３０を介して、ＦＡＸ通信部１２０、及びＬＡＮ通信部１３０と接続され、ＦＡＸの送受信及びＬＡＮによる通信の制御を行う。また、メインコントローラー１０には、本体２の上面の手前側に配置されたボタンスイッチ群による操作信号が入力される。
【００２４】
［２．メインコントローラーの構成］
図１を参照して、メインコントローラー１０は、ＣＰＵ（Central Processing Unit）２０、ＲＯＭ（Read Only Memory）１１、及びＲＡＭ（Random Access Memory）１２を備えている。さらに、メインコントローラー１０は、フラッシュメモリー１３、及びインターフェース回路１４等を備えている。フラッシュメモリー１３は、記憶部及び不揮発性メモリーの一例に相当する。ＲＡＭ１２は、記憶部及び揮発性メモリーの一例に相当する。
【００２５】
ＣＰＵ２０は、ＲＯＭ１１に保存されている印刷装置１の制御用プログラムを読み込んで実行することにより、印刷制御部２１、表示制御部２２、及び選択サイズ保存部２３として機能する。また、後述する他の実施形態において、ＣＰＵ２０は、点線で示した印刷履歴情報保存部２４、及び用紙サイズ選択頻度認識部２５としても機能する。
【００２６】
印刷制御部２１は、ＭＰトレイ９０、Ａトレイ１００、及びＢトレイ１１０からプリンターユニット７５への給紙、プリンターユニット７５による用紙への印刷等の制御を行う。表示制御部２２は、タッチパネル８０の画面表示を制御する。また、表示制御部２２は、図４に示した用紙サイズの区分表２００に従って、用紙幅センサー９５と用紙長センサー９３の検出状態に応じて、ＭＰトレイ９０にセットされている用紙が、Ｄ１〜Ｄ８のいずれの区分に属するかを認識する。
【００２７】
用紙幅センサー９５の検出信号は、ＭＰトレイ９０にセットされている用紙の幅が大きくなるに従って、「０，０」→「０，１］→「１，０」→「１，１］と切り替わる。用紙長センサー９３の検出信号は、用紙が検出されていない状態では「０」、用紙が検出されている状態では「１」となる。
【００２８】
表示制御部２２は、用紙幅センサー９５と用紙長センサー９３の検出信号の組み合わせにより、図４に示した区分表２００に従って、ＭＰトレイ９０にセットされている用紙Ｐが、Ｄ１〜Ｄ８のうちの何れの用紙サイズ区分に属するかを判断する。そして、表示制御部２２は、判断した用紙サイズ区分について複数の候補サイズが設定されている場合には、複数の候補サイズの中から、実際にセットされている用紙のサイズを選択するための用紙サイズ選択画面をタッチパネル８０に表示させる。
【００２９】
図５は、ＭＰトレイ９０にセットされている用紙のサイズが、Ｄ３の区分に属する場合の用紙サイズ選択画面３００の表示例を示している。用紙サイズ選択画面３００には、第１候補選択部３０１、第２候補選択部３０２、及び第３候補選択部３０３が示される。第１候補選択部３０１には、第１候補の用紙サイズの選択ボタン３０１ａとタイプボタン３０１ｂが含まれる。同様に、第２候補選択部３０２には、第２候補の用紙サイズの選択ボタン３０２ａとタイプボタン３０２ｂが含まれる。第３候補選択部３０３には、第３候補の用紙サイズの選択ボタン３０３ａとタイプボタン３０３ｂが含まれる。
【００３０】
使用者は、第１候補選択部３０１の選択ボタン３０１ａ、第２候補選択部３０２のサイズ選択ボタン３０２ａ、或いは第３候補選択部３０３のサイズ選択ボタン３０３ａをタッチ操作して、ＭＰトレイ９０にセットした用紙Ｐのサイズを選択することができる。また、使用者は、第１候補選択部３０１のタイプ選択ボタン３０１ｂ、第２候補選択部３０２のタイプ選択ボタン３０２ｂ、或いは第３候補選択部３０３のタイプ選択ボタン３０３ｂをタッチ操作して、各用紙のタイプを選択することができる。
【００３１】
選択サイズ保存部２３は、用紙サイズ選択画面により、使用者が選択した用紙サイズを、用紙サイズ区分と関連付けた用紙選択情報を、フラッシュメモリー１３に保存する。選択サイズ保存部２３は、ボタンスイッチ群１４０の操作等により、印刷装置１の設定を出荷時の状態に戻す初期化処理が実行されたときには、フラッシュメモリー１３に保存した用紙選択情報を消去する。
【００３２】
［３．用紙サイズの決定処理］
図６に示したフローチャートに従って、ＭＰトレイ９０にセットされた用紙のサイズを、使用者の操作に応じて決定する処理について説明する。表示制御部２２は、図６のステップＳ１で、紙有無センサー９４の検出信号により、用紙ＰがＭＰトレイ９０にセットされたことを検知したときに、ステップＳ２に処理を進める。
【００３３】
なお、用紙幅センサー９５により検出される用紙幅が、第１用紙幅から第２表示幅に切替わる毎に、ステップＳ２以降の処理を実行するようにしてもよい。この場合には、ステップＳ２以降の処理により、第２表示幅に対応する用紙サイズ区分についての用紙サイズ選択画面が、タッチパネル８０に表示される。また、用紙幅センサー９５により検出される用紙幅が、第３用紙幅であるときに、使用者が、用紙サイズ選択画面の表示を指示する操作を行い、表示制御部２２がこの指示を受付けたときに、ステップＳ２以降の処理を実行するようにしてもよい。この場合は、ステップＳ２以降の処理により、第３用紙幅に対応する用紙サイズ区分についての用紙サイズ選択画面が、タッチパネル８０に表示される。
【００３４】
ステップＳ２で、表示制御部２２は、用紙幅センサー９５及び用紙長センサー９３の検出信号の組み合わせにより、図４に示した用紙サイズの区分表２００に従って、ＭＰトレイ９０にセットされている用紙Ｐが属する用紙サイズ区分を認識する。続くステップＳ３で、表示制御部２２は、認識した用紙サイズ区分についての用紙選択情報が、フラッシュメモリー１３に保存されているか否かを判断する。
【００３５】
そして、表示制御部２２は、用紙選択情報が保存されているときはステップＳ４に処理を進め、用紙選択情報が保存されていないときにはステップＳ１０に処理を進める。ステップＳ４で、表示制御部２２は、用紙選択情報に記録されている用紙サイズを、１番目の候補として優先的に表示した用紙サイズ選択画面をタッチパネル８０に表示し、ステップＳ５に処理を進める。
【００３６】
このように、用紙選択情報に記録されている用紙サイズを優先的に表示した用紙サイズ選択画面を、タッチパネル８０に表示することにより、使用者がＭＰトレイ９０にセットする用紙のサイズを変更する際の選択操作を容易にすることができる。すなわち、使用者が、ＭＰトレイ９０にセットする用紙のサイズを頻繁に切り替える場合に、切り替え時に、前回セットした用紙のサイズを優先的に表示した用紙サイズ選択画面がタッチパネル８０に表示される。そのため、使用者は、優先的に表示されている用紙サイズを選択して、ＭＰトレイ９０にセットする用紙のサイズを容易に切り替えることができる。これにより、使用者が用紙サイズを元に戻す際の操作の煩わしさを低減して、印刷装置１の使い勝手を向上させることができる。
【００３７】
一方、ステップＳ１０においては、表示制御部２２は、デフォルトで設定されている用紙サイズを、１番目の候補として優先的に表示した用紙サイズ選択画面をタッチパネル８０に表示し、ステップＳ５に処理を進める。デフォルトの用紙サイズ（初期用紙サイズ）としては、例えば、用紙サイズ区分Ｄ３について「ハガキ」が設定される。
【００３８】
ステップＳ５で、表示制御部２２は、使用者が用紙サイズを選択したか否かを判断する。そして、使用者が用紙サイズを選択したときに、表示制御部２２はステップＳ６に処理を進める。ステップＳ６で、選択サイズ保存部２３は、ステップＳ２３で認識された用紙サイズ区分と、使用者により選択された用紙サイズとを関連付けた用紙選択情報を、フラッシュメモリー１３に保存する。
【００３９】
なお、ステップＳ４で表示する用紙サイズ選択画面において、用紙選択情報に記録されている用紙サイズを最も優先的に表示し、デフォルトの用紙サイズを次に優先的に表示するようにしてもよい。また、用紙選択情報に記録されている用紙サイズ（第４用紙幅の一例に相当する）とデフォルトの用紙サイズが同一である場合には、用紙サイズ選択画面において、デフォルトの用紙サイズを候補として表示しないようにしてもよい。
【００４０】
［４．他の実施形態］
上記実施形態では、選択サイズ保存部２３により用紙選択情報をフラッシュメモリー１３に保存する構成を示したが、用紙選択情報をＲＡＭ１２に保存する構成としてもよい。この構成による場合には、本体２への電源供給がオフ（遮断）されたとき、及び本体２が省電力モードとなってＲＡＭ１２への供給電圧が所定レベル以下まで低下したときに、ＲＡＭ１２に保存されていた用紙選択情報が消失する。
【００４１】
上記実施形態では、選択サイズ保存部２３により用紙選択情報をフラッシュメモリー１３に保存し、用紙選択情報に記録された用紙サイズを、第１の候補として優先的に示した用紙サイズ選択画面をタッチパネル８０に表示した。他の構成として、印刷履歴情報保存部２４及び用紙サイズ選択頻度認識部２５を備えた構成としてもよい。
【００４２】
印刷履歴情報保存部２４は、ＭＰトレイ９０からの給紙により実行された印刷ジョブの回数を、用紙サイズ毎に記録した印刷履歴情報を、フラッシュメモリー１３に保存する。図７は印刷履歴情報の例を示しており、図７の印刷履歴情報２１０には、用紙サイズ区分Ｄ１〜Ｄ８毎に、過去１週間における各用紙サイズによる印刷ジョブの実行回数が記録されている。なお、印刷ジョブではなく、各用紙サイズの印刷枚数を記録するようにしてもよい。
【００４３】
用紙サイズ選択頻度認識部２５は、フラッシュメモリー１３に保存された印刷履歴情報を参照して、設定中のＭＰトレイ９０の用紙サイズ区分に対応した各用紙サイズの選択頻度を認識する。そして、表示制御部２２は、ＭＰトレイ９０に用紙Ｐがセットされたときに、選択頻度が最も高い用紙サイズを、１番目の候補として優先的に示す用紙サイズ選択画面を、タッチパネル８０に表示する。この構成によれば、使用者が再び選択する可能せいが高い用紙サイズを優先的に表示することにより、使用者による用紙サイズの選択操作を容易にすることができる。これにより、使用者が用紙サイズを元に戻す際の操作の煩わしさを低減して、印刷装置１の使い勝手を向上させることができる。
【００４４】
また、表示制御部２２は、用紙幅センサー９５により検出される用紙幅が第１用紙幅から第２用紙幅に切替わって、用紙サイズ区分が切替わる毎に、切替わった後の用紙サイズ区分についての用紙サイズ選択画面を、タッチパネル８０に表示してもよい。この場合、表示制御部２２は、第２用紙幅の用紙サイズ区分についての印刷履歴情報が、フラッシュメモリー１３に保存されているときには、第２用紙幅の用紙サイズ区分についての印刷履歴情報に基づいて、優先表示態様により用紙サイズ選択画面を表示する。
【００４５】
また、表示制御部２２は、用紙幅センサー９５により検出される用紙幅が第３用紙幅である状態で、用紙サイズ選択画面の表示指示を受付けたときには、第３用紙幅に応じた用紙サイズ区分についての印刷履歴情報が、保存されているか否かを判断する。そして、印刷履歴情報がフラッシュメモリー１３に保存されているときには、第３用紙幅の用紙サイズ区分についての印刷履歴情報に基づいて、優先表示態様により、第３用紙幅の用紙サイズ区分についての用紙選択画面をタッチパネル８０に表示する。
【００４６】
上記実施形態では、用紙サイズ選択画面における優先表示態様として、用紙選択情報に記録された用紙サイズ、或いは用紙サイズ選択頻度認識部２５により認識された選択頻度が最も高い用紙サイズを１番目の候補とて示す例を示した。他の優先表示態様として、優先させたい用紙サイズを、他の候補の用紙サイズとは異なる色又はサイズで示す、優先させたい用紙サイズの表示部を点滅させる等の優先表示態様としてもよい。
【００４７】
上記実施形態では、用紙トレイの一例としてＭＰトレイ９０を示したが、Ａトレイ１００及びＢトレイ１１０のようなカセットタイプの用紙トレイについても、本発明の適用が可能である。カセットタイプの用紙トレイに対しては、カセット内に備えられたエッジガイドの位置に基づいて、セットされる用紙の幅を検出すればよい。
【００４８】
上記実施形態は、ＭＰトレイ９０に備えられた用紙幅センサー９５と用紙長センサー９３による検出状況に基づいて、用紙の幅と長さにより、図４に示したように用紙サイズ区分を設定した。他の構成として、用紙長センサー９３を省略して、用紙幅センサー９５のみを備えた構成としてもよい。この場合は、用紙の幅のみによって用紙サイズ区分が設定される。
【００４９】
図３に示した機能ブロックのうち少なくとも一部は、ハードウェアで実現してもよいし、ハードウェアとソフトウェアの協働により実現される構成としてもよく、図に示した通りに独立したハードウェア資源を配置する構成に限定されない。ＣＰＵ２０が実行するプログラムは、ＲＯＭ１１に限らず、印刷装置１とは別体として構成される記憶装置に記憶されてもよい。また、ＣＰＵ２０が、外部の装置に記憶されたプログラムを取得して実行する構成としてもよい。
その他、印刷装置１を構成する機器の他の各部の具体的な細部構成についても、本発明の趣旨を逸脱しない範囲で任意に変更可能である。
【符号の説明】
【００５０】
１…印刷装置、２…本体、１０…メインコントローラー、１３…フラッシュメモリー、２０…ＣＰＵ、２１…印刷制御部、２２…表示制御部、２３…選択サイズ保存部、２４…印刷履歴情報保存部、２５…用紙サイズ選択頻度認識部、８０…タッチパネル、９０…ＭＰトレイ、９１…左エッジガイド、９２…右エッジガイド、９５…用紙幅センサー、Ｐ…用紙。
【図１】
2020090329.tif 000003
【図２】
2020090329.tif 000004
【図３】
2020090329.tif 000005
【図４】
2020090329.tif 000006
【図５】
2020090329.tif 000007
【図６】
2020090329.tif 000008
【図７】
2020090329.tif 000009